(57)【要約】      （修正有）【課題】電極が低抵抗かつ視認性に優れ、折り曲げ可能な静電容量タッチセンサーを提供する。【解決手段】静電容量タッチセンサー１は、透明な基体フィルム１２と、基体フィルム１２の第１主面に形成された第１導電部１４ａと、基体フィルム１２の第２主面に形成された第２導電部１４ｂと、を備える。第１導電部１４ａは、それぞれ不透明で反射率２％以下の黒色導電性細線１６及び黒色導電性細線１６によって仕切られた空白部１７からなって第１方向に延在し、且つ、第１方向と直交する第２方向に配列された２以上の第１電極パターン２５ａを有する。第２導電部１４ｂは、それぞれ不透明で反射率２％以下の黒色導電性細線１６及び黒色導電性細線１６によって仕切られた空白部１７からなって第２方向に延在し、且つ、第１方向に配列された２以上の第２電極パターン２５ｂを有する。黒色導電性細線１６は、金属粒子及び導電性黒色剤を含有する。【選択図】図１
2017157184.tif 000002
【特許請求の範囲】
【請求項１】
透明な基体フィルムと、前記基体フィルムの第１主面に形成された第１導電部と、前記基体フィルムの第２主面に形成された第２導電部と、を備え、
前記第１導電部は、それぞれ不透明で反射率２％以下の黒色導電性細線及び当該黒色導電性細線によって仕切られた空白部からなって第１方向に延在し、且つ、前記第１方向と直交する第２方向に配列された２以上の第１電極パターンを有し、
前記第２導電部は、それぞれ不透明で反射率２％以下の黒色導電性細線及び当該黒色導電性細線によって仕切られた空白部からなって前記第２方向に延在し、且つ、前記第１方向に配列された２以上の第２電極パターンを有し、
前記黒色導電性細線は、感光性樹脂中に金属粒子及び導電性黒色剤を含有して構成される、
ことを特徴とする静電容量センサー。
【請求項２】
前記金属粒子が、銀、銅及びアルミニウムの中から選ばれた１以上の金属粒子である請求項１記載の静電容量センサー。
【請求項３】
前記導電性黒色剤が、カーボンナノチューブ、フラーレン、グラフェン、グラファイト及びドーピングされたアモルファスカーボンの中から選ばれた１以上の導電性黒色剤である請求項１又は請求項２に記載の静電容量センサー。
【請求項４】
前記感光性樹脂が、光重合開始剤を含有した感光性樹脂である請求項１〜３のいずれかに記載の静電容量センサー。
【請求項５】
前記基体フィルムの第１主面に形成された前記第１電極パターン、前記基体フィルムの第２主面に形成された前記第２電極パターンが、柔軟性のある保護膜によってそれぞれ被覆されている請求項１〜４のいずれかに記載の静電容量センサー。
【請求項６】
前記第１導電部が、さらに、前記第１電極パターンと同じ材料の黒色導電性細線及び当該黒色導電性細線によって仕切られた空白部からなって、隣り合う前記第１電極パターン同士の隙間に配置され、前記第１電極パターンと電気的に絶縁された複数の第１ダミーパターンを有し、
前記第２導電部が、さらに、前記第２電極パターンと同じ材料の黒色導電性細線及び当該黒色導電性細線によって仕切られた空白部からなって、隣り合う前記第２電極パターン同士の隙間に配置され、前記第２電極パターンと電気的に絶縁された複数の第２ダミーパターンを有している請求項１〜４のいずれかに記載の静電容量センサー。
【請求項７】
前記基体フィルムの第１主面に形成された前記第１電極パターン及び前記第１ダミーパターン、前記基体フィルムの第２主面に形成された前記第２電極パターン及び前記第２ダミーパターンが、柔軟性のある保護膜によってそれぞれ被覆されている請求項６記載の静電容量センサー。
【請求項８】
曲面を有する樹脂成形品と、前記成形品の曲面に沿って一体化している請求項１〜７の静電容量センサーと、を備えたことを特徴とする静電容量センサー付き成形品。
【請求項９】
剥離性を有する支持フィルムと、前記支持フィルム上に設けられ、感光性樹脂中に金属粒子及び導電性黒色剤を含有している感光性導電樹脂層とを備えた感光性導電樹脂積層体を用い、透明な基体フィルムの第１主面及び第２主面に、各々、前記感光性導電樹脂積層体の前記感光性導電樹脂層面を重ねて積層するラミネート工程と、
前記工程で得られた両面ラミネート物に対してフォトマスクを介して両面露光する露光工程と、
露光後且つ前記支持フィルムの剥離後の前記感光性導電樹脂層を現像することにより、請求項１〜４及び請求項６のいずれかに記載の第１導電部及び第２導電部を形成する現像工程と、
を備えたことを特徴とする静電容量センサーの製造方法。
【発明の詳細な説明】
【技術分野】
【０００１】
本発明は、電極が低抵抗かつ視認性に優れ、折り曲げ可能な静電容量瀬タッチセンサーとその製造方法に関する。
【背景技術】
【０００２】
静電容量方式タッチパネルに用いるフィルムセンサー（以下、静電容量センサー）は、タッチパネルの表面に指で触れると生じるＸとＹの電極間の静電容量（電荷）の変化を、センサーが感知することで位置を認識する仕組みのものである。
【０００３】
従来、静電容量センサーにおいて、マトリクス状に配列したＸとＹの電極が目立たないようにするために、電極をＩＴＯ（酸化インジウムスズ）にて構成していた。ところが、タッチパネルを備えた電子機器は、現在はスマートフォン（高機能携帯端末）をはじめとするモバイル機器等の小サイズへの適用が主となっているが、デジタルサイネージ（電子看板）等への適用による大サイズ化が進むと考えられる。このような将来の動向において、従来のＩＴＯ（酸化インジウムスズ）を用いた電極では抵抗が大きく、適用サイズが大きくなるにつれて、電極間の電流の伝達速度が遅くなり、応答速度（指先を接触してからその位置を検出するまでの時間）が遅くなるという問題がある。
【０００４】
そこで、この問題を解決するため、低抵抗な金、銀、銅などの金属薄膜を微細加工し、タッチ者に視認されない線幅の金属細線により電極を構成する技術（いわゆる、メタルメッシュ電極）の開発が進められている。金属細線を電極に用いた静電容量センサーとしては、例えば、特許文献１〜３が知られている 。
【先行技術文献】
【特許文献】
【０００５】
【特許文献１】特表２０１１−５３０１１２号公報
【特許文献２】特開２０１２−０７９２３８号公報
【特許文献３】特開２０１１−１７５６２８号公報
【発明の概要】
【発明が解決しようとする課題】
【０００６】
しかしながら、静電容量センサーにメタルメッシュ電極を用いる場合、電極を構成する金属細線の金属色の反射率が高く、視認性が問題となる。
メタルメッシュ電極の反射を抑えるためにメタルメッシュ電極表面に黒色の酸化膜を付ける対策もあるが、この場合、価格が高価である。また、クロムからなるメッシュ電極に酸化膜を設けて黒色にしたものは、高価であるだけでなく、パターニングの際のエッチングも容易ではない。さらに、電極からの配線にも酸化膜が付けれるので、端子表面の導電性に乏しく、端子の取り出しとしては不適である。
【０００７】
また、上述のデジタルサイネージは、複合商業施設、公共施設などにおいて、一度に多くの人々へ情報や映像を発信するツールであるが、昨今の大画面化により設置エリアが限られていたところ、近年、曲面ディスプレイの開発によって、円柱に貼り付けられたポスターなど印刷物の替わりとなるデジタルサイネージ化も可能となってきた。ところが、静電容量センサーに金属薄膜を微細加工してなるメタルメッシュ電極を用いる場合、断線などのおそれから曲面ディスプレイや折り曲げ可能なディスプレイに適用することが困難であった。また、同様の理由から、自動車内装のような曲面成形品への適用も困難であった。
【０００８】
したがって、本発明はこのような課題を考慮してなされたものであり、電極が低抵抗かつ視認性に優れ、折り曲げ可能な静電容量タッチセンサーとその製造方法、静電容量センサー付き成形品を提供することを目的とする。
なお、本明細書において折り曲げ可能とは、曲げられる（ベンダブル：ｂｅｎｄａｂｌｅ）、２つ折りに出来る（フォルダブル：Ｆｏｌｄａｂｌｅ）のいずれの意味も含む。
【課題を解決するための手段】
【０００９】
上記目的を達成するために、本発明は以下のように構成する。
【００１０】
本発明の静電容量センサーは、透明な基体フィルムと、該基体フィルムの第１主面に形成された第１導電部と、基体フィルムの第２主面に形成された第２導電部と、を備え、第１導電部は、それぞれ不透明で反射率２％以下の黒色導電性細線及び当該黒色導電性細線によって仕切られた空白部からなって第１方向に延在し、且つ、第１方向と直交する第２方向に配列された２以上の第１電極パターンを有し、第２導電部は、それぞれ不透明で反射率２％以下の黒色導電性細線及び当該黒色導電性細線によって仕切られた空白部からなって第２方向に延在し、且つ、第１方向に配列された２以上の第２電極パターンを有し、黒色導電性細線は、感光性樹脂中に金属粒子及び導電性黒色剤を含有して構成される点に要旨を有する。
このように第１電極パターン及び第２電極パターンが、不透明で反射率２％以下の黒色導電性細線及び当該黒色導電性細線によって仕切られた空白部からなるので、導電性細線の反射を抑えることができ、視認性に優れる。また、黒色導電性細線は、感光性樹脂中に金属粒子及び導電性黒色剤を含有して構成されているので、低抵抗かつ折り曲げ可能である。
【００１１】
金属粒子は、銀、銅、アルミニウムの中から選ばれた１以上の金属粒子であることが好ましい。これら導電性、コストの点で工業生産上適している。
【００１２】
導電性黒色剤は、カーボンナノチューブ、フラーレン、グラフェン、グラファイト及びドーピングされたアモルファスカーボンの中から選ばれた１以上の導電性黒色剤であることが好ましい。これらは導電性細線を不透明化するのに適している。
【００１３】
感光性樹脂は、光重合開始剤を含有した感光性樹脂であることが好ましい。光重合開始剤を含有した感光性樹脂は、柔軟性に優れるからである。
【００１４】
基体フィルムの第１主面に形成された第１電極パターン、基体フィルムの第２主面に形成された第２電極パターンは、柔軟性のある保護膜によってそれぞれ被覆されていることが好ましい。両面に柔軟性のある保護膜を形成することにより、静電容量センサーの折り曲げ性が向上する。
【００１５】
また、本発明の静電容量センサーは、第１導電部が、さらに、第１電極パターンと同じ材料の黒色導電性細線及び当該黒色導電性細線によって仕切られた空白部からなって、隣り合う第１電極パターン同士の隙間に配置され、第１電極パターンと電気的に絶縁された複数の第１ダミーパターンを有し、第２導電部が、さらに、第２電極パターンと同じ材料の黒色導電性細線及び当該黒色導電性細線によって仕切られた空白部からなって、隣り合う第２電極パターン同士の隙間に配置され、第２電極パターンと電気的に絶縁された複数の第２ダミーパターンを有していることが好ましい。
第１ダミーパターン及び第２ダミーパターンは、第１電極パターン同士の隙間、及び、第２電極パターン同士の隙間が目立たないように、補完することができる。すなわち、第１電極パターンや第２電極パターンにおける黒色導電性細線によって仕切られた空白部が隙間にも連続して存在するかのように見せることができる。
【００１６】
基体フィルムの第１主面に形成された第１電極パターン及び第１ダミーパターン、基体フィルムの第２主面に形成された第２電極パターン及び第２ダミーパターンは、柔軟性のある保護膜によってそれぞれ被覆されていることが好ましい。ダミーパターンを有する場合においても、両面に柔軟性のある保護膜を形成することにより、静電容量センサーの折り曲げ性が向上する。
【００１７】
また、本発明の静電容量センサー付き成形品は、曲面を有する樹脂成形品と、該成形品の曲面に沿って一体化している上記の静電容量センサーと、を備えている点に要旨を有する。
本発明の静電容量センサー付き成形品は、静電容量センサーの第１電極パターン及び第２電極パターンが、不透明で反射率２％以下の黒色導電性細線及び当該黒色導電性細線によって仕切られた空白部からなるので、静電容量センサーの導電性細線の反射を抑えることができ、視認性に優れる。また、静電容量センサーの黒色導電性細線は、感光性樹脂中に金属粒子及び導電性黒色剤を含有して構成されているので、低抵抗かつ折り曲げ可能であり、曲面を有する樹脂成形品への一体化に適している。
【００１８】
また、本発明の静電容量センサーの製造方法は、剥離性を有する支持フィルムと、該支持フィルム上に設けられ、感光性樹脂中に金属粒子及び導電性黒色剤を含有している感光性導電樹脂層とを備えた感光性導電樹脂積層体を用い、透明な基体フィルムの第１主面及び第２主面に、各々、感光性導電樹脂積層体の感光性導電樹脂層面を重ねて積層するラミネート工程と、前工程で得られた両面ラミネート物に対してフォトマスクを介して両面露光する露光工程と、露光後且つ支持フィルムの剥離後の感光性導電樹脂層を現像することにより、上記の静電容量センサーの第１導電部及び第２導電部を形成する現像工程と、を備えた点に要旨を有する。
本発明の静電容量センサーの製造方法は、導電性細線の反射を抑えることができ、視認性に優れ、さらに低抵抗かつ折り曲げ可能であるという効果を奏する第１電極パターン及び第２電極パターンを、上記の感光性導電樹脂積層体を用いてフォトプロセスで形成するという簡便な方法で形成できるため、工業生産上適している。
【発明の効果】
【００１９】
以上説明したように、本発明に係る静電容量センサーとその製造方法、静電センサー付き成形品によれば、第１電極パターン及び第２電極パターンが、不透明で反射率２％以下の黒色導電性細線及び当該黒色導電性細線によって仕切られた空白部からなるので、導電性細線の反射を抑えることができ、視認性に優れる。
また、上記黒色導電性細線は、感光性樹脂中に金属粒子及び導電性黒色剤を含有して構成されているので、低抵抗かつ折り曲げ可能である。
【図面の簡単な説明】
【００２０】
【図１】本発明に係る静電容量方式タッチパネル用静電容量センサーの一例を一部省略して示す分解斜視図である。
【図２】本発明に係る静電容量センサーの一例を一部省略して示す断面図である。
【図３】網目パターンの一例について、その一部を拡大して示した説明図である。
【図４】網目パターンの他の例について、その一部を拡大して示した説明図である。
【図５】網目パターンの他の例について、その一部を拡大して示した説明図である。
【図６】本発明に係る静電容量センサーの他の例を一部省略して示す分解斜視図である。
【図７】本発明に係る静電容量センサーの他の例を一部省略して示す分解斜視図である。
【図８】本発明に係る静電容量センサーの外の例を一部省略して示す断面図である。
【図９】本発明に係る静電容量センサーの製造方法に用いる感光性導電樹脂積層体の一例を示す断面図である。
【図１０】本発明に係る静電容量センサーの製造方法におけるラミネート工程の一例を示す断面ん図である。
【図１１】本発明に係る静電容量センサーの製造方法における露光工程の一例を示す断面図である。
【図１２】本発明に係る静電容量センサーの製造方法における現像工程の一例を示す断面図である。
【図１３】本発明に係る静電容量センサーの一使用例（円柱用デジタルサイネージの表面カバー）を示す図である。
【図１４】本発明に係る静電容量センサーの一使用例（自動車内装成形品）を示す図である。
【図１５】網目パターンの他の例について、その一部を拡大して示した説明図である。
【図１６】静電容量センサーの両面に柔軟性のある保護膜を形成した一例を示す断面図である。
【図１７】静電容量センサーの両面に柔軟性のある保護膜を形成した別の例を示す断面図である。
【発明を実施するための形態】
【００２１】
下記で、本発明に係る実施形態を図面に基づいてさらに詳細に説明する。なお、本発明の実施例に記載した部位や部分の寸法、材質、形状、その相対位置などは、とくに特定的な記載がない限り、この発明の範囲をそれらのみに限定する趣旨のものではなく、単なる説明例にすぎない。
【００２２】
［第１実施形態］
＜静電容量センサーの構成＞
第１実施形態に係る静電容量センサー１は、図１、図２に示すように、透明な基体フィルム１２と、基体フィルム１２の第１主面１２ａに形成された第１導電部１４ａと、基体フィルム１２の第２主面１２ｂに形成された第２導電部１４ｂと、を備えている。
【００２３】
（基体フィルム）
基体フィルム１２は、９０％以上の透過率をもつ樹脂フィルムである。樹脂としては、例えば、ポリエチレンテレフタレート（ＰＥＴ）、ポリ乳酸（ＰＬＡ）、ポリエチレンナフタレート（ＰＥＮ）等のポリエステル類、ポリエチレン（ＰＥ）、ポリプロピレン（ＰＰ）、ポリスチレン、ＥＶＡ、シクロオレフィンポリマー（ＣＯＰ）、環状オレフィン・コポリマー（ＣＯＣ）等のポリオレフィン類、その他にビニル系樹脂、ポリカーボネート（ＰＣ）、ポリアミド、ポリイミド（ＰＩ）、アクリル樹脂（ＰＭＭＡ）、トリアセチルセルロース（ＴＡＣ）等を用いることができる。
【００２４】
基体フィルム１２の厚さは、５〜３５０μｍであることが好ましく、３０〜１５０μｍであることがさらに好ましい。５〜３５０μｍの範囲であれば所望の可視光の透過率が得られ、且つ、取り扱いも容易である。また、基体フィルム１２は、単一層又は２層以上の貼合された積層体であってもよい。さらに、基体フィルム１２は、１／４λ位相差フィルム、例えば延伸ＣＯＰを構成中に有していてもよい。また、基体フィルム１２には、上述のポリ乳酸フィルムを一軸延伸してなる、焦電性の生じない圧電フィルムを用いることもできる。
また、基体フィルム１２は、第１主面１２ａと第２主面１２ｂの一方又は両方に樹脂コートがされていてもよい。例えば、露光波長を透過させない透明膜のコーティングである。
【００２５】
（第１導電部及び第２導電部）
第１導電部１４ａ及び第２導電部１４ｂは、図１に示すように、透視を必要とする部分（第１センサ部２４ａ及び第２センサ部２４ｂ）と透視を必要としない部分（第１端子配線部３４ａ及び第２端子配線部３４ｂ）とを有する。そして、静電容量センサー１の外形は平面視で矩形状を有すると共に、第１センサ部２４ａ及び第２センサ部２４ｂの外形も矩形状を有する。
【００２６】
第１導電部１４ａの第１センサ部２４ａは、それぞれ不透明で反射率２％以下の黒色導電性細線１６及び当該黒色導電性細線１６によって仕切られた空白部１７からなって第１方向（図１中のＸ方向）に延在し、且つ、第１方向と直交する第２方向（図１中のＹ方向）に配列された２以上の第１電極パターン２５ａを有する。なお、図２は、図１の静電容量センサー中の１つの第１電極パターン２５ａを長さ方向に切断した断面図である。
【００２７】
第２導電部１４ｂの第２センサ部２４ｂは、それぞれ不透明で反射率２％以下の黒色導電性細線１６及び当該黒色導電性細線１６によって仕切られた空白部１７からなって第２方向（図１中のＹ方向）に延在し、且つ、第１方向（図１中のＸ方向）に配列された２以上の第２電極パターン２５ｂを有する。第２導電部１４ｂは、基体フィルム１２によって第１導電部１４ａと電気的に絶縁された状態下にある。
【００２８】
本実施形態において、黒色導電性細線１６及び当該黒色導電性細線１６によって仕切られた空白部１７からなるパターンは、具体的には網目パターンである。すなわち、各網目パターンの輪郭が黒色導電性細線１６で構成され、各網目パターンの開口部が黒色導電性細線１６で囲まれた空白部１７で構成される（図１参照）。そして、第１電極パターン２５ａ及び第２電極パターン２５ｂは、このようなパターンで形成されることによって、透視性が得られる。
【００２９】
ところで、静電容量センサー１の第１電極パターン２５ａ及び第２電極パターン２５ｂに適用される網目パターンは、図１に示すような四角形や、その他の多角形で開口部を構成するのが好ましい。多角形でないもの、例えば円形や楕円形の開口を設けたものでは、開口部を最大限密に並べて配置しても開口部同士の間に輪郭の太い部分ができてしまうことから、その輪郭の太い部分が目立つとともに光線透過率を低下させる要因となるからである。また、三角形、四角形、六角形等の図形のうち、一種類あるいはそれらの複数種類の組み合わせで構成することができる。
【００３０】
図３〜図５は本発明に適用可能な網目パターンの例について、その一部を拡大して示したものである。
図３に示す網目パターンは、四角形を核としてＸ方向およびＹ方向に連続させたものであり、先に示した図１の第１電極パターン２５ａ及び第２電極パターン２５ｂに相当する。ただし、図１に示す第１電極パターン２５ａと第２電極パターン２５ｂとは、共に四角形を核とするが、当該核の寸法が異なる。更に詳しく説明すると、第１電極パターン２５ａの核をＹ方向に複数個並べたサイズが、第２電極パターン２５ｂの核一つに相当する。図４に示す網目パターンは、六角形を核としＸ方向およびＹａ方向、ｂ方向に連続させたものである。図５に示す網目パターンは、梯子形を核としＸ方向およびＹ方向に連続させたものである。
【００３１】
四角形のなかでも特に正方形が核となって連続するものは、他の多角形状に比べて網目パターンが筋状に認識され難いので好ましい。つまり、或る形状が核となって規則的に連続するパターンを見たとき、その核の連続する方向に沿って輪郭（黒色導電性細線１６）が連続する筋状に見える傾向がある。例えば六角形が核となったものの場合では、その連続方向に沿った黒色導電性細線１６の線形がジグザグとなる為に、このジグザグの振幅の分だけ太く見えてしまい、結果として黒色導電性細線１６の線幅が膨張した状態に見えてしまう。この点において上記正方形が核となって連続するものの場合は、連続方向に沿った黒色導電性細線１６の線形が真っ直ぐとなるから、本来の幅よりも太く見える懸念がないので、その存在が認識され難く、網目パターンが目立たない。
【００３２】
また長方形が核となって連続するものの場合では、この長方形の長辺方向と短辺方向のピッチが違うので、全体を見たときに、長辺方向に比べてピッチの短い短辺方向が濃く現れ、これが筋状となってちらついて見える傾向にあるが、上記正方形が核となって連続するものでは、この様な筋状は現れず、目立たない。尚上記正方形には、完全に角張った正方形に限らず、面取りされた正方形も含まれる。
【００３３】
なお、本明細書中における「多角形」には、幾何学的に完全な多角形のみならず、前記完全な多角形に対し軽微な変更を加えた「実質的な多角形」も含まれるものとする。軽微な変更の例示として、網目と比べて微小な点要素・線要素の付加や、網目を構成する各辺（黒色導電性細線１６）の部分的欠損等が挙げられる。例えば、図１に示す例では、第１電極パターン２５ａ同士の隙間２０に臨む線状突起４０が存在することにより、当該隙間２０と第１電極パターン２５ａとの境界を曖昧にさせ、目立たせないようにしている。
【００３４】
網目パターンの輪郭線幅は、下限は１μｍ以上、３μｍ以上、４μｍ以上、もしくは５μｍ以上が好ましく、上限は１５μｍ、１０μｍ以下、９μｍ以下、８μｍ以下が好ましい。線幅が上記下限値未満の場合には、導電性が不十分となるためタッチパネルの検出感度が不十分となる。他方、上記上限値を越えると透視性が悪くなったりする。
【００３５】
網目パターンの開口率は、可視光透過率の点から８５％以上であることが好ましく、９０％以上であることがさらに好ましく、９５％以上であることが最も好ましい。開口率とは、透光性部分が全体に占める割合である。
【００３６】
第１電極パターン２５ａ及び第２電極パターン２５ｂの黒色導電性細線１６は、感光性樹脂中に金属粒子及び導電性黒色剤を含有して構成される。したがって、ＩＴＯ電極よりも低抵抗でありながら、従来のメタルメッシュでは断線などのおそれから難しかった、折り曲げも可能である。
【００３７】
黒色導電性細線１６に使用する金属粒子としては、銀、銅、アルミニウム、ニッケル、金、錫、亜鉛、ステンレスなどの金属系、酸化チタン、酸化亜鉛、酸化インジウム、酸化スズなどを基材にアルミ ニウム、酸化アンチモンをドープした金属酸化物系、絶縁性で安価なマイカ、炭酸カルシウム、ガラスビーズにアルミニウムやニッケルなどの金属を被覆した金属被覆系などが挙げられるが、とくに銀、銅及びアルミニウムの中から選ばれた１以上の金属粒子とするのが  導電性、コストの点から好ましい。
【００３８】
黒色導電性細線１６に導電性黒色剤を使用することにより、導電性細線を不透明化することができる。その結果、導電性細線の反射を抑えることができ、視認性に優れる。
黒色導電性細線１６に使用する導電性黒色剤としては、カーボンブラック、カーボンナノチューブ、フラーレン、グラフェン、グラファイト及びドーピングされたアモルファスカーボンなどやその混合が挙げられるが、とくにカーボンナノチューブ、フラーレン、グラフェン、グラファイト及びドーピングされたアモルファスカーボンの中から選ばれた１以上の導電性黒色剤とするのが好ましい。また、導電性黒色剤の大きさは、０．５μｍ以下とするのが好ましい。さらに好ましくは電気伝導率の高いグラフェン、カーボンナノチューブ、フラーレンである。
なお、一般の黒色剤としては、導電性を有しない、反応性染料、アゾ染料、ニグロシン類、ペリレン顔料、混合相顔料などの有機系着色剤もあるが、非導電性黒色剤の添加により金属粒子で得た導電性を損なうおそれがある。
【００３９】
黒色導電性細線１６に使用する前記感光性樹脂としては、アクリル系、脂環式エポキシ系、アクリルアクリレート系、ウレタンアクリレート系、エポキシアクリレート系、ポリエステルアクリレート系、ビニールエーテル系及びノボラック系などの感光性樹脂が挙げられるが、とくに光重合開始剤を含有した感光性樹脂とすることが柔軟性に優れるという観点から好ましい。光重合開始剤としては、ベンゾフェノン系、アセトフェノン系、チオキサントン系、ベンジル系、アゾ系等の光重合開始剤を用いることができる。また、増感剤を添加してもよい。
【００４０】
（その他の構成）
前記したように、第１導電部１４ａ及び第２導電部１４ｂは、透視を必要とする部分（第１センサ部２４ａ及び第２センサ部２４ｂ）と透視を必要としない部分（第１端子配線部３４ａ及び第２端子配線部３４ｂ）とを有している（図１参照）。
【００４１】
第１端子配線部３４ａのうち静電容量センサー１の一辺側の周縁部には、その長さ方向中央部分に、複数の第１端子（図示せず）が配列形成されている。そして、第１端子配線パターン３５ａが、各第１電極パターン２５ａのいずれか一端から導出され、前記第１端子に向かって引き回されて、それぞれ対応する第１端子６４ａに電気的に接続されている。また、第２端子配線部３４ｂのうち静電容量センサー１の一辺側の周縁部にも、その長さ方向中央部分に、複数の第２端子（図示せず）が配列形成されている。そして、第２端子配線パターン３５ｂが、各第２電極パターン２５ｂのいずれか一端から導出され、前記第２端子に向かって引き回されて、、それぞれ対応する第２端子に電気的に接続されている。
【００４２】
第１端子配線パターン３５ａ及び第２端子配線パターン３５ｂは、第１電極パターン２５ａ及び第２電極パターン２５ｂと同じ材料で形成することができる。第１端子配線パターン３５ａ及び第２端子配線パターン３５ｂは、例えば、２５μｍ以上５００μｍ以下の幅、１０ｍｍ以上の長さで構成し、抵抗が１０ｍｍ当たり３００オーム以下、好ましくは１００オーム以下である。
【００４３】
そして、この静電容量センサー１をタッチパネルとして構成する場合は、上記した静電容量センサー１の他、静電容量センサー１のいずれか一方の主面側に積層されたカバー部材と、静電容量センサー１に電気的に接続されたＦＰＣと、ＦＰＣ上に配置されたＩＣ回路とを備える。指先をカバー部材上に接触させることで、指先に対向する第１電極パターン２５ａと第２電極パターン２５ｂからの信号がＩＣ回路に伝達される。ＩＣ回路では、供給された信号に基づいて指先の位置を演算する。
【００４４】
＜静電容量センサー付き成形品＞
以上のような静電容量センサー１の用途としては、静電容量センサー１が大サイズで、折り曲げて使用する用途に適している。例えば、課題の欄で示したような公共施設などの円柱２００に取り付けられたデジタルサイネージ２０１の表面カバー２０１ａ（図１３参照）や、自動車内装成形品３００（図１４参照）である。
これらは、曲面を有する樹脂成形品２０１ａ，３００と、前記成形品２０１ａ，３００の曲面に沿って一体化している静電容量センサー１と、を備えた静電容量センサー付き成形品である。
【００４５】
曲面を有する樹脂成形品２０１ａ，３００に静電容量センサー１を一体化するには、インサート成形法を用いるとよい。具体的には、静電容量センサー１をタッチ側の面が成形樹脂と一体化されるように成形金型内に挿入配置し、金型に設けられた吸引孔を通じて真空吸引することにより金型キャビティ面に静電容量センサー１を沿わせた後、金型を閉じてキャビテイ内に溶融状態の成形樹脂を射出充満させる。これにより樹脂成形品を得るのと同時にその表面に沿って静電容量センサー１を被覆させる。
【００４６】
成形樹脂としては、ポリスチレン系樹脂、ポリオレフィン系樹脂、ＡＢＳ樹脂、ＡＳ樹脂などの汎用樹脂を挙げることができる。また、ポリフェニレンオキシド・ポリスチレン系樹脂、ポリカーボネート系樹脂、ポリアセタール系樹脂、アクリル系樹脂、ポリカーボネート変性ポリフェニレンエーテル樹脂、ポリエチレンテレフタレート樹脂、ポリブチレンテレフタレート樹脂、超高分子量ポリエチレン樹脂などの汎用エンジニアリング樹脂やポリスルホン樹脂、ポリフェニレンサルファイド系樹脂、ポリフェニレンオキシド系樹脂、ポリアクリレート樹脂、ポリエーテルイミド樹脂、ポリイミド樹脂、液晶ポリエステル樹脂、ポリアリル系耐熱樹脂などのスーパーエンジニアリング樹脂を使用することもできる。
【００４７】
また、静電容量センサー１の樹脂成形品と密着する面に接着層を設けてもよい。接着層としては、樹脂成形品の素材に適した感熱性あるいは感圧性の樹脂を適宜使用する。たとえば、樹脂成形品の材料がポリアクリル系樹脂の場合はポリアクリル系樹脂を用いるとよい。また、樹脂成形品の材料がポリフェニレンオキシド・ポリスチレン系樹脂、ポリカーボネート系樹脂、スチレン共重合体系樹脂、ポリスチレン系ブレンド樹脂の場合は、これらの樹脂と親和性のあるポリアクリル系樹脂、ポリスチレン系樹脂、ポリアミド系樹脂などを使用すればよい。さらに、樹脂成形品の材料がポリプロピレン樹脂の場合は、塩素化ポリオレフィン樹脂、塩素化エチレン−酢酸ビニル共重合体樹脂、環化ゴム、クマロンインデン樹脂が使用可能である。
【００４８】
＜静電容量センサーの製造方法＞
以下、本実施形態に係る静電容量センサーの製造方法について説明する。
本製造方法は、剥離性を有する支持フィルム２２と、支持フィルム２２上に設けられ、感光性樹脂中に金属粒子及び導電性黒色剤を含有している感光性導電樹脂層２３とを備えた感光性導電樹脂積層体６０（図９参照）を用い、透明な基体フィルム１２の第１主面１２ａ及び第２主面１２ｂに、各々、感光性導電樹脂積層体６０の感光性導電樹脂層２３面を重ねて積層するラミネート工程（図１０参照）と、この工程で得られた両面ラミネート物１１０に対してフォトマスク１１７ａ，１１７ｂを介して両面露光する露光工程（図１１参照）と、露光後且つ支持フィルム１２２ａ，１２２ｂの剥離後の感光性導電樹脂層１２３ａ，１２３ｂを現像する現像工程（図１２参照）と、を備える。
【００４９】
（感光性導電樹脂積層体）
感光性導電樹脂積層体６０は、図９に示すように、剥離性を有する支持フィルム２２上に感光性導電樹脂層２３を有するものであるが、必要により、感光性導電樹脂層２３の支持フィルム２２側とは反対側の表面に保護フィルムをさらに有していてもよい。
【００５０】
支持フィルム２２は、露光光源から放射される光を透過する透明なものが望ましい。このような支持フィルム２２としては、例えば、ポリエチレンテレフタレートフィルム、ポリビニルアルコールフィルム、ポリ塩化ビニルフィルム、塩化ビニル共重合体フィルム、ポリ塩化ビニリデンフィルム、塩化ビニリデン共重合フィルム、ポリメタクリル酸メチル共重合体フィルム、ポリスチレンフィルム、ポリアクリロニトリルフィルム、スチレン共重合体フィルム、ポリアミドフィルム、セルロース誘導体フィルム等が挙げられる。これらのフィルムとしては、必要に応じて延伸されたものも使用可能である。支持フィルムは、ヘーズ５以下のものであることが好ましい。支持フィルムの厚みは、薄いほど画像形成性及び経済性の面で有利であるが、強度を維持するために１０μｍ〜３０μｍであることが好ましい。
【００５１】
感光性導電樹脂層２３は、静電容量センサー１の黒色導電性細線１６を形成するためのものであり、その材料は黒色導電性細線１６の説明で述べた通りである。
【００５２】
保護フィルムを設ける場合、感光性導電樹脂層２３との密着力について支持フィルム２２よりも保護フィルムの方が充分小さく、容易に剥離できるものを選ぶ。例えば、ポリエチレンフィルム又はポリプロピレンフィルムが保護フィルムとして好ましい。
【００５３】
支持フィルム２２、感光性導電樹脂層２３、必要により保護フィルムを順次積層し感光性導電樹脂積層体６０を作製する方法としては、既知の方法を採用することができる。例えば、感光性導電樹脂層２３を形成するために用いる組成物を、これを溶解する溶剤と混ぜ合わせ均一な調合液にする。次に、支持フィルム２２上にバーコーター又はロールコーターを用いて該調合液を塗布し、次いで乾燥して、支持フィルム２２上に感光性導電樹脂層２３を積層する。次いで必要により、感光性導電樹脂層２３上に保護フィルムをラミネートする。以上のようにして、感光性導電樹脂積層体６０を作製することができる。
【００５４】
（ラミネート工程）
まず、図１０に示すように、感光性導電樹脂積層体６０を用い、透明な基体フィルム１２の第１主面１２ａ及び第２主面１２ｂに、各々、感光性導電樹脂積層体６０の感光性導電樹脂層２３面を重ねて積層する。
得られる両面ラミネート物１１０は、透明な基体フィルム１２と、該基体フィルム１２の第１主面に順次積層して形成された不透明な第１感光性導電樹脂層１２３ａ及び第１支持フィルム１２２ａと、基体フィルム１２の第２主面に順次積層して形成された不透明な第２感光性導電樹脂層１２３ｂ及び第２支持フィルム１２２ｂとを有する。
【００５５】
第１感光性導電樹脂層１２３ａ及び第２感光性導電樹脂層１２３ｂの膜厚は、第１電極パターン２５ａ及び第２電極パターンを構成する黒色導電性細線１６の線幅と抵抗値に応じて、０．５〜１０μｍの範囲で決定する。
【００５６】
(露光工程) 
次に、両面ラミネート物１１０を露光する。この露光処理では、図１１に示すように、第１感光性導電樹脂層１２３ａに対し、基体フィルム１２に向かって光を照射して第１感光性導電樹脂層１２３ａを第１露光パターンに沿って露光する第１露光処理と、第２感光性導電樹脂層１２３ｂに対し、基体フィルム１２に向かって光を照射して第２感光性導電樹脂層１２３ｂを第２露光パターンに沿って露光する第２露光処理とが行われる（両面同時露光）。
【００５７】
図１１の例では、長尺の両面ラミネート物１１０を一方向に搬送しながら、第１感光性導電樹脂層１２３ａに第１光１１１ａ（平行光）を第１フォトマスク１１７ａを介して照射すると共に、第２感光性導電樹脂層１２３ｂに第２光１１１ｂ（平行光）を第２フォトマスク１１７ｂを介して照射する。第１光１１１ａは、第１光源１１８ａから出射された光を途中の第１コリメータレンズ１２０ａにて平行光に変換されることにより得られ、第２光１１１ｂは、第２光源１１８ｂから出射された光を途中の第２コリメータレンズ１２０ｂにて平行光に変換されることにより得られる。図１１の例では、２つの光源（第１光源１１８ａ及び第２光源１１８ｂ）を使用した場合を示しているが、１つの光源から出射した光を光学系を介して分割して、第１光１１１ａ及び第２光１１１ｂとして第１感光性導電樹脂層１２３ａ及び第２感光性導電樹脂層１２３ｂに照射してもよい。
【００５８】
露光波長は、半導体レーザー、メタルハライドランプ、ｇ線（波長４３６ｎｍ）、ｈ線（波長４０５ｎｍ）i線（波長３６５ｎｍ）、ブロード(ｇ，ｈ，ｉ線の3波長等)の高圧水銀灯、KrFエキシマレーザー（波長２４８ｎｍ）、ＡｒＦエキシマレーザー（波長１９３ｎｍ）、F2エキシマレーザー（波長１５７ｎｍ）等のエキシマレーザー、極端紫外線（波長１３．６ｎｍ）、電子線等が使用される。
【００５９】
第１露光処理は、図１１に示すように、第１感光性導電樹脂層１２３ａ上に第１フォトマスク１１７ａを例えば密着配置し、該第１フォトマスク１１７ａに対向して配置された第１光源１１８ａから第１フォトマスク１１７ａに向かって第１光１１１ａを照射することで、第１感光性導電樹脂層１２３ａを露光する。第１フォトマスク１１７ａは、透明なソーダガラスで形成されたガラス基板と、該ガラス基板上に形成されたマスクパターン（第１露光パターン）とで構成されている。従って、この第１露光処理によって、第１感光性導電樹脂層１２３ａのうち、第１フォトマスク１１７ａに形成された第１露光パターンに沿った部分が露光される。
【００６０】
同様に、第２露光処理は、第２感光性導電樹脂層１２３ｂ上に第２フォトマスク１１７ｂを例えば密着配置し、該第２フォトマスク１１７ｂに対向して配置された第２光源１１８ｂから第２フォトマスク１１７ｂに向かって第２光１１１ｂを照射することで、第２感光性導電樹脂層１２３ｂを露光する。第２フォトマスク１１７ｂは、第１フォトマスク１１７ａと同様に、透明なソーダガラスで形成されたガラス基板と、該ガラス基板上に形成されたマスクパターン（第２露光パターン）とで構成されている。従って、この第２露光処理によって、第２感光性導電樹脂層１２３ｂのうち、第２フォトマスク１１７ｂに形成された第２露光パターンに沿った部分が露光される。
【００６１】
第１露光処理及び第２露光処理は、第１光源１１８ａからの第１光１１１ａの出射タイミングと、第２光源１１８ｂからの第２光１１１ｂの出射タイミングを同時にしてもよいし、異ならせてもよい。同時であれば、１度の露光処理で、第１感光性導電樹脂層１２３ａ及び第２感光性導電樹脂層１２３ｂを同時に露光することができ、処理時間の短縮化を図ることができる。
【００６２】
そして、第１感光性導電樹脂層１２３ａに照射された第１光源１１８ａからの第１光１１１ａが、不透明な第１感光性導電樹脂層１２３ａによって遮ぎられて第２感光性導電樹脂層１２３ｂに実質的に到達せず、第２感光性導電樹脂層１２３ｂに照射された第２光源１１８ｂからの第２光１１１ｂが、不透明な第２感光性導電樹脂層１２３ｂによって遮ぎられて第１感光性導電樹脂層１２３ａに実質的に到達しない。それゆえに、露光処理によって、透明な基体フィルム１２の両面（表裏）に異なった露光パターンを任意に、且つ、表裏に対して位置精度よく形成することができる。ここで、「実質的に到達しない」とは、光が到達しない場合や、光は到達しているが、現像で結像しない光量である場合を示す。従って、「光が到達する」とは、現像で結像する程度の光量の光が到達することを示す。
【００６３】
（現像工程）
次いで、支持フィルム１２２ａ，１２２ｂの剥離後の感光性導電樹脂層１２３ａ，１２３ｂを現像処理する（図１２参照）。現像処理では、感光性樹脂がネガ型の場合、露光されると現像液１４０に対して溶解性が低下しているので、現像後に露光部分（図中濃く示した部分）が残る。他方、感光性樹脂がポジ型の場合、露光されると現像液１４０に対して溶解性が増大しているため、露光した部分（図中、濃く示した部分）が除去される。したがって、第１電極パターン２５ａは、第１導電性膜１１５ａの一部が除去されることにより透明な基体フィルム１２の第１主面に形成され、第２電極パターン２５ｂは、第２導電性膜１１５ｂの露出部分が除去されることにより透明な基体フィルム１２の第２主面に形成される。
使用する現像液１４０としては、アルカリ液、例えば、水酸化ナトリウム、水酸化カリウム、炭酸ナトリウム等の水溶液を用いることができる。
【００６４】
以上、本発明の第１実施形態について説明したが、本発明は第１実施形態に限定されない。例えば、以下に説明する各実施形態が可能である。なお、第１実施形態と共通する構成については説明を省略する。
【００６５】
［第２実施形態］
第１実施形態では第１電極パターン２５ａ及び第２電極パターン２５ｂの両方を網目パターンとしたが、本発明の第１電極パターン２５ａ及び第２電極パターン２５ｂは、黒色導電性細線１６及び当該黒色導電性細線によって仕切られた空白部１７からなるものであれば網目パターンに限らない。例えば、第２電極パターン２５ｂを網目パターンではなく、図６に示す静電容量センサー１０のようなＸ方向に歯が並ぶ櫛歯状パターンとしてもよい。
【００６６】
その他の点については、第１実施形態と同じである。
【００６７】
［第３実施形態］
第１実施形態では第１導電部１４ａ及び第２導電部１４ｂは、隣り合う第１電極パターン２５ａ同士の隙間２０、及び、隣り合う第２電極パターン２５ｂ同士の隙間２１には何も設けられていないが、本発明はこれに限らない。例えば、図７に示す静電容量センサー１００のように、第１導電部１４ａが、第１電極パターン２５ａと同じ材料の黒色導電性細線１８からなって、隣り合う第１電極パターン２５ａ同士の隙間２０に配置され、第１電極パターン２５ａと電気的に絶縁された２以上の第１ダミーパターン５５ａを有し、第２導電部１４ｂが、第２電極パターン２５ｂと同じ材料の黒色導電性細線１８からなって、隣り合う第２電極パターン２５ｂ同士の隙間２１に配置され、第２電極パターン２５ｂと電気的に絶縁された２以上の第２ダミーパターン５５ｂを有していてもよい。図８は、図７の静電容量センサー１００中の１つの第１電極パターン２５ａを長さ方向に切断した断面図である。
【００６８】
第１ダミーパターン５５ａ及び第２ダミーパターン５５ｂは、第１電極パターン２５ａ同士の隙間２０、及び、第２電極パターン２５ｂ同士の隙間２１が目立たないように、補完するものである。すなわち、第１電極パターン２５ａや第２電極パターン２５ｂにおける黒色導電性細線１６によって仕切られた空白部１７（第１実施形態においては開口部）が隙間２０、２１にも連続して存在するかのように見せるのである。
また、第１ダミーパターン５５ａは、第１電極パターン２５ａをパターン形成する際に第１電極パターン２５ａと同時にパターン形成される。同様に、第２ダミーパターン５５ｂは、第２電極パターン２５ｂをパターン形成する際に第２電極パターン２５ｂと同時にパターン形成される。
【００６９】
その他の点については、第１実施形態と同じである。
【００７０】
［その他変化例］
さらに、第１電極パターン２５ａ及び第２電極パターン２５ｂは、表示装置の画素との干渉によってモアレ模様が出ないように設計するのが好ましい。例えば、モアレの発生を抑制するために、第１電極パターン２５ａの配列方向及び第２電極パターン２５ｂの配列方向を、表示装置の画素配列方向に対して傾きを有するようにしてもよい。第１電極パターン２５ａ及び第２電極パターン２５ｂを傾けることによって、検出される位置情報にズレが生じるが、設定された傾斜角度に応じて位置情報を補正する位置補正回路をＩＣ回路に組み込めばよい。
また、他ののモアレ対策としては、第１電極パターン２５ａ及び第２電極パターン２５ｂにおいて、隣り合う黒色導電性細線間のピッチを一定にしないように設計してもよい。あるいは、黒色導電性細線を、曲線状に設計してもよい。
【００７１】
また、第１電極パターン２５ａ及び第２電極パターン２５ｂは、互いの黒色導電性細線１６の交点が重ならないようにしてもよい。例えば、図１５示すように、第１電極パターン２５ａの黒色導電性細線１６の交点が第２電極パターン２５ｂ（図中、便宜的に薄色表現）の空白部１７に位置し、第２電極パターン２５ｂの黒色導電性細線１６の交点が第１電極パターン２５ａの空白部１７に位置するようにする。
【００７２】
また、各実施形態では、第１端子配線パターン３５ａ及び第２端子配線パターン３５ｂを第１電極パターン２５ａ及び第２電極パターン２５ｂを同じ材料を用いて形成しているが、これに限定されない。第１端子配線パターン３５ａ及び第２端子配線パターン３５ｂを第１電極パターン２５ａ及び第２電極パターン２５ｂとは別の材料を用いて形成してもよい。例えば、周縁部に形成されるため、必ずしも不透明化は必要でない。したがって、導電性黒色剤を省くこともできる。
【００７３】
また、静電容量センサー１の製造工程において、現像工程の後に、第１導電部１４ａ及び第２導電部１４ｂの基体フィルム１２への密着性向上のために、さらなる露光、ベーキング等の後処理を施してもよい。
【００７４】
なお、静電容量センサーにおいては、第１電極パターン２５ａが形成される基体フィルム１２の第１主面と第２電極パターン２５ｂの形成される第２主面は、いずれをタッチ面側としてタッチパネルに組み込むかは特定していない。したがって、本明細書中において「第１」と「第２」とを入れ替えてもよい。
【００７５】
（柔軟な保護層）
また、図１６に示すように、静電容量センサー１０１は、基体フィルム１２の第１主面に形成された第１電極パターン２５ａ、基体フィルム１２の第２主面に形成された第２電極パターン２５ｂが、柔軟性のある保護膜（図１６中、第１保護膜１８０ａ及び第２保護膜１８０ｂ）によってそれぞれ被覆されていることが好ましい。
【００７６】
両面に柔軟性のある保護膜を形成することにより、第１電極パターン２５ａが基体フィルム１２と第１保護膜１８０ａの間に挟まれ、第２電極パターン２５ｂが基体フィルム１２と第２保護膜１８０ｂの間に挟まれた状態となる。電極パターンを両側から挟むことにより、静電容量センサー１０１を折り曲げた場合でも、第１電極パターン２５ａや第２電極パターン２５ｂが保護膜によって基体フィルム１２に対して全体的に押さえつけられる。その結果、第１電極パターン２５ａや第２電極パターン２５ｂの黒色導電性細線１６に局所的な応力が働くのを抑制できるため、これらの黒色導電性細線１６が破断したり、皺が寄ったりすることが発生しにくくなる。
【００７７】
保護膜は、第１電極パターン２５ａや第１電極パターン２５ａだけでなく、第１端子配線パターン３５ａや第２端子配線パターン３５ｂも被覆してもよい。ただし、第１端子配線パターン３５ａ及び第２端子配線パターン３５ｂについては、第１電極パターン２５ａや第１電極パターン２５ａと接続する側とは反対側の一端は、ＦＰＣなどの外部接続のために露出させる。
【００７８】
また、第三実施形態のように、静電容量センサー１が第１ダミーパターン５５ａや          第２ダミーパターン５５ｂを有している場合、保護膜は第１ダミーパターン５５ａ及び第２ダミーパターン５５ｂも被覆する（図１７参照）。
【００７９】
両面に柔軟性のある保護膜を形成することにより、第１電極パターン２５ａ及び第１ダミーパターン５５ａが基体フィルム１２と第１保護膜１８０ａの間に挟まれ、第２電極パターン２５ｂ及び第２ダミーパターン５５ｂが基体フィルム１２と第２保護膜１８０ｂの間に挟まれた状態となる。電極パターン及びダミーパターンを両側から挟むことにより、静電容量センサー１０２を折り曲げた場合でも、第１電極パターン２５ａや第２電極パターン２５ｂのみならず、第１ダミーパターン５５ａ及び第２ダミーパターン５５ｂも保護膜によって基体フィルム１２に対して全体的に押さえつけられる。その結果、第１電極パターン２５ａや第２電極パターン２５ｂの黒色導電性細線１６、第１ダミーパターン５５ａ及び第２ダミーパターン５５ｂの黒色導電性細線１８に局所的な応力が働くのを抑制できるため、これらの黒色導電性細線１６や黒色導電性細線１８が破断したり、皺が寄ったりすることが発生しにくくなる。
【００８０】
保護膜は、柔軟性のある樹脂膜である。樹脂としては、例えば、ウレタン樹脂、ポリアミック酸樹脂やアクリルゴム等を用いることができる。なお、本明細書において、柔軟性があるとは、繰り返し折り曲げても、保護膜に剥離、クラックや曲げ筋が発生しないことを意味する。
【００８１】
保護膜は、上記した材料からなるインキを用いスクリーン印刷法にて形成することができる。また、保護膜は、第１主面に第１導電部１４ａが形成され、第２主面に第２導電部１４ｂが形成された基体フィルム１２の両面に対し、上記した材料からなる感光性樹脂層を形成し、フォトマスクを介して両面露光、現像するフォトプロセスにて形成することができる。なお、該フォトプロセスにおける感光性樹脂層は、塗布によって形成してもよいし、ドライフィルムレジストのラミネートによって形成してもよい。
【００８２】
また、静電容量センサー１０２を折り曲ける方向が常に決まっている場合、すなわち折り曲げたときに外側となる面、内側となる面が常に決まっている場合には、第１保護膜１８０ａと第２保護膜１８０ｂとで使用する材料を異ならせてもよい。つまり、外側となる保護膜には引張りに対してより追従しやすい材料を用い、内側となる保護には圧縮に対してより皺の発生しにくい材料を用いるのが好ましい。例えば、外側となる保護膜材料にウレタン樹脂を用い、内側となる保護膜材料にポリアミック酸樹脂を用いる組合せである。
【符号の説明】
【００８３】
１，１０，１００，１０１，１０２  静電容量センサー
１２  基体フィルム
１４ａ  第１導電部                  １４ｂ  第２導電部
１６，１８  黒色導電性細線
１７  空白部
２０，２１  隙間
２２  支持フィルム
２３  感光性導電樹脂層
２４ａ  第１センサ部                ２４ｂ  第２センサ部
２５ａ  第１電極パターン            ２５ｂ  第２電極パターン
３４ａ  第１端子配線部              ３４ｂ  第２端子配線部
３５ａ  第１端子配線パターン        ３５ｂ  第２端子配線パターン
４０  線状突起
５５ａ  第１ダミーパターン          ５５ｂ  第２ダミーパターン
６０  観光性導電樹脂層積層体
１１０  両面ラミネート物
１１１ａ  第１光                    １１１ｂ  第２光
１１７ａ  第１フォトマスク          １１７ｂ  第２フォトマスク
１１８ａ  第１光源                  １１８ｂ  第２光源
１２２ａ  第１支持フィルム          １２２ｂ  第２支持フィルム
１２３ａ  第１感光性導電樹脂層      １２３ｂ  第２感光性導電樹脂層
１４０  現像液
１８０ａ  第１保護膜                １８０ｂ  第２保護膜
２００  円柱
２０１  デジタルサイネージ          ２０１ａ  表面カバー
３００  自動車内装成形品
【図１】
2017157184.tif 000003
【図２】
2017157184.tif 000004
【図３】
2017157184.tif 000005
【図４】
2017157184.tif 000006
【図５】
2017157184.tif 000007
【図６】
2017157184.tif 000008
【図７】
2017157184.tif 000009
【図８】
2017157184.tif 000010
【図９】
2017157184.tif 000011
【図１０】
2017157184.tif 000012
【図１１】
2017157184.tif 000013
【図１２】
2017157184.tif 000014
【図１３】
2017157184.tif 000015
【図１４】
2017157184.tif 000016
【図１５】
2017157184.tif 000017
【図１６】
2017157184.tif 000018
【図１７】
2017157184.tif 000019